(57)【要約】【課題】簡単にしかも確実に裏当てキャップを脚部に仮止めできるようなネームプレート取付具を提供する。【解決手段】本体（１１）と脚部（１２）からなるネームプレートと、頭部（１７）と中空の脚部（１８）からなる裏当てキャップ（１６）とで構成されるネームプレート取付具（１０）である。ネームプレート脚部（１２）には、突出部分（１４）がある。裏当てキャップの中空脚部（１８）の中空直径はネームプレート脚部（１２）の前記突出部分（１４）のない部分の直径とほぼ同じである。【選択図】図１
0003107668.tif 000002
【実用新案登録請求の範囲】
【請求項１】
本体（１１，１１Ａ）と脚部（１２，１２Ａ）からなるネームプレートと、頭部（１７，１７Ａ）と中空の脚部（１８，１８Ａ）からなる裏当てキャップ（１６，１６Ａ）とで構成されるネームプレート取付具（１０，１０Ａ）において、
ネームプレート脚部（１２，１２Ａ）には、突出部分（１４，１４Ａ）があり、
裏当てキャップの中空脚部（１８，１８Ａ）の内径はネームプレート脚部（１２，１２Ａ）の前記突出部分（１４，１４Ａ）がない部分の直径とほぼ同じであることを特徴とする本考案のネームプレート取付具。
【請求項２】
ネームプレート脚部（１２）の突出部分（１４）が長手方向に伸びるリブである請求項１記載のネームプレート取付具。
【請求項３】
ネームプレート脚部（１２Ａ）の突出部分（１４Ａ）が部分的な凸部である請求項１又は２に記載のネームプレート取付具。
【請求項４】
ネームプレート脚部（１２，１２Ａ）の先端にくぼみ（１３，１３Ａ）が形成されている請求項１または３のいずれかに記載のネームプレート取付具。
【請求項５】
本体と脚部からなるネームプレートと、頭部（１７Ｃ）と中空の脚部（１８Ｃ）からなる裏当てキャップ（１６Ｃ）とで構成されるネームプレート取付具において、
裏当てキャップの中空脚部（１８Ｃ）には、内側への突出部分（１８１）があり、
裏当てキャップの中空脚部（１８Ｃ）の前記突出部分のない部分の内径はネームプレート脚部の直径とほぼ同じであることを特徴とするネームプレート取付具。
【請求項６】
本体（１１Ｂ）と脚部（１２Ｂ）からなるネームプレートと、窪んだ中央部（１６１）と平坦な円板（１６２）からなる裏当てキャップ（１６Ｂ）とで構成されるネームプレート取付具（１０Ｂ）において、
ネームプレートの本体がかしめ用突起（１１１）を有し、
ネームプレート脚部（１２Ｂ）が平坦部（１２３）とそこから起立する中空脚部（１２４）からなり、
前記中空脚部（１２４）がかしめ用突起（１１１）によりかしめられることを特徴とするネームプレート取付具。
【考案の詳細な説明】
【技術分野】
【０００１】
本発明はネームプレート取付具に関する。例えば、取付対象部材に名札・商標等を記載したネームプレートを埋め込み、固定するのに使用する。取付対象部材は、以下の説明では、カーペットであるが、これに限らない。その他に衣服、かばんその他に取り付けることができる。
【背景技術】
【０００２】
自動車のカーペットに取り付ける従来のネームプレートは２〜４本の脚部を有する金属板からなる。この脚部をカーペットに突き通し、カーペットの裏に露出した部分を裏当てキャップでかしめることにより、カーペットにしっかりと固定されている。
【０００３】
本出願人の出願に係る別の従来例（下記特許文献１参照）では、ネームプレートの取り外しを可能としている。
【特許文献１】特開２００１−２９０４３３
【考案の開示】
【考案が解決しようとする課題】
【０００４】
本考案は、ネームプレートの取り外しが困難な前者のタイプに関するものである。
【０００５】
ネームプレートの脚部をカーペットに突き通し、カーペットの裏に露出した部分を裏当てキャップでかしめるとき、この部材を脚部に仮止めされている必要がある。さもないと、裏当てキャップと脚部が正しくかみ合わず、しっかりとかしめることができない。従来の技術はこの点で必ずしも満足できるものではない。
【０００６】
特に、フロアマット表面の毛足の長いマット等にかしめる場合は、裏当てキャップを押し付けながらかしめ作業を行うことになるが、毛の弾力により、仮止めが不安定となって、確実な固定ができず、不良品が発生するおそれがある。
【０００７】
本考案は、この問題点に鑑み行われたもので、簡単にしかも確実に裏当てキャップを脚部に仮止めできるようなネームプレート取付具を提供することを目的とする。
【０００８】
本考案の別の目的は、ネームプレートをカーペットに取り付けるときにカーペットに予め穴を開ける必要にないネームプレート取付具を提供することである。
【課題を解決するための手段】
【０００９】
本考案のネームプレート取付具は、本体と脚部からなるネームプレートと、頭部と中空の脚部からなる裏当てキャップとで構成されるネームプレート取付具において、ネームプレート脚部には、突出部分があり、裏当てキャップの中空脚部の内径はネームプレート脚部の前記突出部分がない部分の直径とほぼ同じであることを特徴とする。
【００１０】
第２の観点では、本考案のネームプレート取付具は、本体と脚部からなるネームプレートと、窪んだ中央部と平坦な円板からなる裏当てキャップとで構成されるネームプレート取付具において、ネームプレートの本体がかしめ用突起を有し、ネームプレート脚部が平坦部とそこから起立する中空脚部からなり、前記中空脚部がかしめ用突起によりかしめられることを特徴とする。
【００１１】
第３の観点では、本考案のネームプレート取付具は、本体と脚部からなるネームプレートと、頭部と中空の脚部からなる裏当てキャップとで構成されるネームプレート取付具において、裏当てキャップの中空脚部には、内側への突出部分があり、裏当てキャップの中空脚部の前記突出部分のない部分の内径はネームプレート脚部の直径とほぼ同じであることを特徴とする。
【考案の効果】
【００１２】
ネームプレート本体に裏当てキャップを強くはめ込むと、第１の観点の場合、キャップの中空脚部が、やや変形しつつネームプレートの突出部分に摩擦係合し、第３の観点の場合、キャップの中空脚部の突出部分がネームプレート脚部に摩擦係合し、仮固定が完成する。このあと、正式にかしめ固定することになる。
【００１３】
このように、第１，第３の観点による本考案によれば、両者の仮固定を簡単迅速かつ安定的に行うことができる。
【００１４】
また、第２の観点による本考案によると、カーペットに予め、ネームプレート脚部用の穴を開ける必要がないという特別の効果を有する。
【考案を実施するための最良の形態】
【００１５】
好ましくは、ネームプレート脚部の突出部分が長手方向に伸びる複数のリブである。別の実施態様では、ネームプレート脚部の突出部分は複数の部分的な凸部である。
【００１６】
好ましくはネームプレート脚部の先端にすり鉢状のくぼみを形成する。かしめ機械の押圧力により、くぼみ外壁が外側に広がるので、しっかりとかしめることができる。
【実施例１】
【００１７】
以下、添付の図面に基づき、本考案の実施例を説明する。
図１は、本考案第１実施例に係るネームプレート取付具１０を裏側から見た斜視図である。ネーム等は図１のプレート本体１１において、見えていない側に印刷・刻印等される。図２（ａ）はその仮止め状態の断面図、（ｂ）はかしめ状態の断面図、（ｃ）はネームプレート脚部と裏当てキャップ脚部の関係を表す概略図である。
【００１８】
これらの図から分かるように、ネームプレート本体１１から高さ約２ｃｍの脚部１２が２本起立している。この脚部１２は、ネームプレートがアルミ製の場合、金型に挟んで圧力をかけることにより、起立させることができるので、本体１１と脚部１２は一体成形される。脚部１２の頭部１３はくり抜かれて最大深さ２ｍｍですり鉢状に窪んでいる。
【００１９】
各脚部１２表面には長手方向に伸びるリブ１４が２本形成されている。リブ１４は高さ０．５〜１ｍｍ程度で、ネームプレート本体１１から脚部１２に沿って伸びている。
【００２０】
一方、裏当てキャップ１６は頭部１７と中空の脚部１８からなる。図２（ｃ）に示すように、キャップの中空脚部１８の直径Ｌ１はネームプレート脚部のリブ１４のない部分の直径Ｌ２とほぼ同じである。
【００２１】
図２（ａ）はネームプレート本体１１と裏当てキャップ１６の仮止め状態の断面図である。キャップの中空脚部１８は、変形しつつリブ１４に摩擦係合し、仮固定が完成する。このあと、正式にかしめ固定することになる。最終状態では、図２（ｂ）に示すように、ネームプレート脚部の窪んだ頭部先端１３が周囲に広がり、キャップ１６の内側と係合する。
【実施例２】
【００２２】
図３は、本考案第２実施例に係るネームプレート取付具１０Ａを裏側から見た斜視図である。ネーム等は図３のプレート本体１１Ａにおいて、見えていない側に印刷・刻印等される。図４（ａ）はその仮止め状態の断面図、（ｂ）はかしめ状態の断面図、（ｃ）はネームプレート脚部と裏当てキャップ脚部の関係を表す概略図である。
【００２３】
これらの図から分かるように、ネームプレート本体１１Ａから高さ約２ｃｍの脚部１２Ａが２本起立している。この脚部１２１Ａは、ネームプレートがアルミ製の場合、金型に挟んで圧力をかけることにより、起立させることができるので、本体１１Ａと脚部１２Ａは一体成形されている。脚部１２Ａの頭部１３Ａはくり抜かれて最深さ２ｍｍですり鉢状に窪んでいる。
【００２４】
各脚部１２Ａ表面の上端から約５ｍｍの位置には凸部１４Ａが数個形成されている。凸部１４Ａは高さ０．５〜１ｍｍ程度である。凸部を形成するには、ネームプレート脚部１２Ａをプレスしてアルミ材を部分的に凹部とし、その分を近接部に盛り上げさせることによる。
【００２５】
一方、裏当てキャップ１６Ａは頭部１７Ａと中空の脚部１８Ａからなる。図４（ｃ）に示すように、キャップの中空脚部１８Ａの直径Ｌ３はネームプレート脚部の凸部１４Ａのない部分の直径Ｌ４とほぼ同じである。
【００２６】
図４（ａ）はネームプレートと裏当てキャップの仮止め状態の断面図である。キャップの中空脚部１８Ａは、ネームプレートの凸部のない部分に容易に嵌るが、この状態ではまだ不安定である。ここから強く頭部１７Ａを指で押し下げると、中空脚部１８Ａが変形しつつ凸部１４Ａに摩擦係合し、仮固定が完成する。このあと、正式にかしめ固定することになる。最終状態では、図４（ｂ）に示すように、ネームプレート脚部の窪んだ頭部先端１３Ａが周囲に広がり、キャップ１６Ａの内側と係合する。
【実施例３】
【００２７】
図５は、本考案第３実施例に係るネームプレート取付具１０Ｂを裏側から見た斜視図である。ネーム等は図５のプレート本体１１Ｂにおいて、見えていない側に印刷・刻印等される。図６（ａ）はそのかしめ前の状態の断面図、（ｂ）はかしめ状態の断面図である。
【００２８】
この実施例では、ネームプレート脚部１２Ｂはネームプレート本体１１Ｂと一体成形されず、別成形される。図５に示すように、本体１１Ｂにはかしめ用突起１１１が一体成形されており、脚部１２Ｂは平坦部１２３とそこから起立する中空脚部１２４を有する。両者を一体化するには、脚部平坦部１２３を本体のかしめ用突起１１１でかしめることによる（図６（ａ）参照）。
【００２９】
一方、裏当てキャップ１６Ｂは、図５に示すように、単に中央部１６１をへこませた円板１６２である。
【００３０】
図６（ａ）はネームプレート１１Ｂと裏当てキャップ１６Ｂを仮止めする前の状態の断面図である。
【００３１】
この実施例において、ネームプレート本体１１Ｂと裏当てキャップ１６Ｂをかしめるには、まず、上記のようにネームプレート本体とネームプレート脚部を一体化させる。その後、図６（ｂ）に示すように、ネームプレート脚部１２Ｂをカーペットに突き刺し、裏面に露出したネームプレート脚部をかしめ機械を使用して裏当てキャップ１６Ｂでかしめて固定する。
【００３２】
この実施例では、第１，第２実施例と異なり、カーペットに予め、ネームプレート脚部用の穴を開ける必要がないという特別の効果を有する。
【実施例４】
【００３３】
図７は実施例４における裏当てキャップとネームプレート脚部の断面図を示す。
この実施例が実施例１及び２と異なるのは、次の諸点である。
（１）裏当てキャップの脚部１８Ｃに内側に向かう窪み１８１がある。この窪みは環状のへこみでもよいが、脚部に数カ所外部から力を加えてへこませるだけでもよい。
（２）ネームプレート脚部にはリブや凸部がない。
（３）キャップの中空脚部１８Ｃの内径Ｌ５（窪みのない部分）はネームプレート脚部の直径Ｌ６とほぼ同じである。
使用法及び効果は実施例１及び２と同じである。
【図面の簡単な説明】
【００３４】
【図１】は本考案第１実施例に係るネームプレート取付具１０を裏側から見た斜視図である。
【図２】（ａ）はその仮止め状態の断面図、（ｂ）はかしめ状態の断面図、（ｃ）はネームプレート脚部と裏当てキャップ脚部の関係を表す概略図である。
【図３】本考案第２実施例に係るネームプレート取付具１０Ａを裏側から見た斜視図である。
【図４】（ａ）はその仮止め状態の断面図、（ｂ）はかしめ状態の断面図、（ｃ）はネームプレート脚部と裏当てキャップ脚部の関係を表す概略図である。
【図５】本考案第３実施例に係るネームプレート取付具１０Ｂを裏側から見た斜視図である。
【図６】（ａ）はそのかしめ前の状態の断面図、（ｂ）はかしめ状態の断面図である。
【図７】実施例４における裏当てキャップとネームプレート脚部の断面図を示す。
【符号の説明】
【００３５】
１０，１０Ａ，１０Ｂ ネームプレート取付具
１１，１１Ａ，１１Ｂ ネームプレート本体
１２，１２Ａ，１２Ｂ ネームプレート脚部
１４   リブ
１４Ａ 凸部
１６，１６Ａ，１６Ｂ 裏当てキャップ
１７，１７Ａ  頭部
１８，１８Ａ  中空脚部
１１１ かしめ用突起
１２３ 脚部平坦部
１２４ 中空脚部
１８１  窪み
【図１】
0003107668.tif 000003
【図２】
0003107668.tif 000004
【図３】
0003107668.tif 000005
【図４】
0003107668.tif 000006
【図５】
0003107668.tif 000007
【図６】
0003107668.tif 000008
【図７】
0003107668.tif 000009